(57)【特許請求の範囲】
【請求項１】
内容物が収容された容器本体の口部に、上方付勢状態で下方移動自在に配設されるとともに、前方に向けて開口する吐出孔が形成された吐出ヘッドを有するポンプと、
前記ポンプを前記容器本体の口部に装着する装着キャップと、
前記装着キャップの後部に立設された支持部と、
前記支持部に回転軸回りに回転自在に配設され、前記吐出ヘッドを押下げる押下部材と、を備え、
前記押下部材を前記回転軸回りに下方に向けて回転させることにより、前記吐出ヘッドを下方移動させ、前記内容物を前記吐出孔から吐出させる吐出器であって、
前記吐出ヘッドの下方移動を規制する規制位置と、前記吐出ヘッドの下方移動を許容する規制解除位置と、の間で移動可能なストッパーを備え、
前記吐出ヘッドは、
上方付勢状態で下方移動自在に配設されたステムと、
前記ステムの上端部に装着された装着筒部と、
前記装着筒部から前方に向けて突出し、その前端部に前記吐出孔が形成されたノズル筒部と、
前記装着筒部から後方に向けて突出した第１被係止部と、
前記装着筒部から前後方向および上下方向の両方と直交する左右方向両側に向けて突出した一対の第２被係止部と、
を有し、
前記押下部材は、一対の前記第２被係止部に上方から係合する一対の係合部を有し、かつ、前記係合部によって前記第２被係止部を介して前記吐出ヘッドを押下げ、
前記ストッパーは、第１規制部と、第２規制部と、を有し、
前記第１規制部は、前記ストッパーが前記規制位置に位置するときに、前記第１被係止部に対して前記第１被係止部の下方から当接若しくは近接し、かつ、前記ストッパーが前記規制解除位置に位置するときに、前記第１被係止部から離れて配置され、
前記第２規制部は、前記ストッパーが前記規制位置に位置するときに、一対の前記第２被係止部に対して前記第２被係止部の下方から当接若しくは近接し、かつ、前記ストッパーが前記規制解除位置に位置するときに、前記第２被係止部から離れて配置されることを特徴とする吐出器。
【請求項２】
前記第２被係止部は、前記ストッパーが前記規制位置に位置するときに、前記第２規制部の上端と対向する平坦面を有することを特徴とする請求項１に記載の吐出器。
【発明の詳細な説明】
【技術分野】
【０００１】
本発明は、吐出器に関する。
【背景技術】
【０００２】
従来から、例えば下記特許文献１に示される吐出器が知られている。
この吐出器は、内容物が収容された容器本体の口部に、上方付勢状態で下方移動自在に配設されると共に前方に向けて開口する内容物の吐出孔が形成された吐出ヘッドを有するポンプと、ポンプを容器本体の口部に装着する装着キャップと、装着キャップの後部に立設された支持部と、支持部に回転軸回りに回転自在に配設され、吐出ヘッドを押下げる押下部材と、を備えている。
このように構成されているので、内容物を吐出する場合には、押下部材を回転軸回りに下方に向けて回転させることで、吐出ヘッドを下方移動させる。これにより、吐出孔を通じて内容物を外部に吐出することができる。
【先行技術文献】
【特許文献】
【０００３】
【特許文献１】特開２００８−３０７９８号公報
【発明の概要】
【発明が解決しようとする課題】
【０００４】
ところで、この種の吐出器では一般的に、不使用時に内容物が外部に吐出されないようにするため、ストッパーを備えている。従来のストッパーは、支持部と押下部材との間に挟まることで、押下部材が回転軸回りに下方に向けて回転しないようにしている。しかしながら、この構成では、押下部材ではなく吐出ノズル単体に力が加わると、ある程度吐出ノズルが押下がってしまい、内容物が吐出されてしまうおそれがあった。
【０００５】
本発明は、このような事情に鑑みてなされたものであって、その目的は、不使用時において内容物の吐出をより確実に防止することができる吐出器を提供することである。
【課題を解決するための手段】
【０００６】
本発明の吐出器の一つの態様は、内容物が収容された容器本体の口部に、上方付勢状態で下方移動自在に配設されるとともに、前方に向けて開口する吐出孔が形成された吐出ヘッドを有するポンプと、前記ポンプを前記容器本体の口部に装着する装着キャップと、前記装着キャップの後部に立設された支持部と、前記支持部に回転軸回りに回転自在に配設され、前記吐出ヘッドを押下げる押下部材と、を備え、前記押下部材を前記回転軸回りに下方に向けて回転させることにより、前記吐出ヘッドを下方移動させ、前記内容物を前記吐出孔から吐出させる吐出器であって、前記吐出ヘッドの下方移動を規制する規制位置と、前記吐出ヘッドの下方移動を許容する規制解除位置と、の間で移動可能なストッパーを備え、前記吐出ヘッドは、上方付勢状態で下方移動自在に配設されたステムと、前記ステムの上端部に装着された装着筒部と、前記装着筒部から前方に向けて突出し、その前端部に前記吐出孔が形成されたノズル筒部と、前記装着筒部から後方に向けて突出した第１被係止部と、前記装着筒部から前後方向および上下方向の両方と直交する左右方向両側に向けて突出した一対の第２被係止部と、を有し、前記押下部材は、一対の前記第２被係止部に上方から係合する一対の係合部を有し、かつ、前記係合部によって前記第２被係止部を介して前記吐出ヘッドを押下げ、前記ストッパーは、第１規制部と、第２規制部と、を有し、前記第１規制部は、前記ストッパーが前記規制位置に位置するときに、前記第１被係止部に対して前記第１被係止部の下方から当接若しくは近接し、かつ、前記ストッパーが前記規制解除位置に位置するときに、前記第１被係止部から離れて配置され、前記第２規制部は、前記ストッパーが前記規制位置に位置するときに、一対の前記第２被係止部に対して前記第２被係止部の下方から当接若しくは近接し、かつ、前記ストッパーが前記規制解除位置に位置するときに、前記第２被係止部から離れて配置されることを特徴とする。
【０００７】
本発明の吐出器の一つの態様によれば、ストッパーを規制位置に移動させると、ストッパーが吐出ヘッドの第１被係止部および第２被係止部に当接若しくは近接する。これにより、吐出ヘッド単体に力が加わっても、第１被係止部および第２被係止部にストッパーが当接し、吐出ヘッドが直接支えられるため、内容物が吐出されることがなくなる。一方、ストッパーを規制解除位置に移動させると、ストッパーが吐出ヘッドに突設された第１被係止部および第２被係止部から離れる。これにより、吐出ヘッドの下方移動が許容され、通常通りの使用が可能となる。
【０００８】
また、ステムの上端部に装着された装着筒部から後方に向けて突出した第１被係止部が第１規制部によって支持され、装着筒部から左右方向両側に向けて突出した第２被係止部が第２規制部によって支持される。そのため、ステムを３方向から囲むようにして、ストッパーによって吐出ヘッドを支持することができる。これにより、ストッパーによって、吐出ヘッドを安定して支持することができ、吐出ヘッドの下方への移動をより安定して規制することができる。
【０００９】
また、第１規制部の上端の位置と一対の第２規制部の上端の位置とが、上下方向において同じ位置にある場合、第１規制部の上端と一対の第２規制部の上端とが、上下方向と直交する同一面上に配置され、３つの上端によってより安定して吐出ヘッドを支持できる。そのため、吐出ヘッドの下方への移動をより安定して規制することができる。
【００１０】
また、第２被係止部は、ステムの上端部に装着された装着筒部から左右方向に突出するため、ステムと前後方向においてほぼ同じ位置に位置する。そのため、第２被係止部を第２規制部で支持することで、ステムの前後方向の中央を左右方向両側から挟むようにして、吐出ヘッドを支持することができる。これにより、吐出ヘッドの下方への移動をより安定して規制することができる。また、ノズル筒部に対して下方向きに外力が加えられた場合、第２被係止部には第２規制部に押し付けられる向きに力が加えられる。これにより、第２規制部には、下方に押し付けられる向きに力が加えられる。したがって、ノズル筒部に外力が加えられ、仮に第１被係止部が第１規制部に対して浮き上がった場合であっても、第２被係止部によって第２規制部が下方に押し付けられる。その結果、吐出ヘッドが下方に移動することを抑制できると共に、ストッパーが規制解除位置側にずれることを抑制できる。また、ステムと装着筒部との間のシール性が低下することも抑制できる。
【００１１】
また、第２被係止部は、押下部材の係合部が係合される部分であり、押下部材から直接的に力を受ける部分である。そのため、第２被係止部を第２規制部で支持することにより、押下部材から吐出ヘッドに加えられる力を直接的にストッパーで受けることができる。そのため、ストッパーによって吐出ヘッドをより安定して支持しやすく、吐出ヘッドの下方への移動をより安定して規制することができる。
【００１２】
前記第２被係止部は、前記ストッパーが前記規制位置に位置するときに、前記第２規制部の上端と対向する平坦面を有する構成としてもよい。
【００１３】
この構成によれば、第２規制部によって第２被係止部の移動を安定して規制することができる。これにより、内容物が外部に漏れだすことをより抑制できる。
【発明の効果】
【００１４】
本発明に係る吐出器によれば、不使用時において内容物の吐出をより確実に防止することができる。
【図面の簡単な説明】
【００１５】
【図１】正倒立両用アダプタを装着した吐出器を示す軸方向断面図である。
【図２】図１に示す吐出器の上半分を示す軸方向断面図である。
【図３】図１に示す吐出器の部分を示す斜視図である。
【図４】図１に示す吐出器を前方から見た正面部分断面図である。
【図５】吐出器を示す図であって、図２に示す状態から押下部材を下方に回転させて吐出ヘッドを押し下げた状態を示す軸方向断面図である。
【図６】吐出器に設けられたストッパーを示す斜視図である。
【図７】図１に示す吐出器の下半分を示す軸方向断面図である。
【発明を実施するための形態】
【００１６】
以下、本発明に係る吐出器の実施形態について図面を参照して説明する。なお、以下の説明に用いる各図面では、各部材を認識可能な大きさとするために縮尺を適宜変更している。
【００１７】
本実施形態の吐出器１は、図１に示すように、正倒立両用アダプタ２００が装着されている。正倒立両用アダプタ２００は、吐出器１の正立時および倒立時の双方で、吐出器１における後述するシリンダ４２内の負圧時に、シリンダ４２内に内容液を供給する構成とされている。
【００１８】
図２に示すように、吐出器１は、図示しない内容物が収容された容器本体２の口部３に取り付けられる有頂円筒状の装着キャップ１１と、容器本体２の口部３に上方付勢状態で下方移動自在に配設されると共に、前方に向けて開口する内容物の吐出孔１３Ａが形成された吐出ヘッド１３を有するポンプ１４と、装着キャップ１１の後部に立設された支持部１５と、支持部１５に回転軸Ｌ回りに回転自在に配設され、吐出ヘッド１３を押下げる押下部材１６と、を備えている。
【００１９】
この吐出器１では、押下部材１６を回転軸Ｌ回りに後述する下方に向けて回転させることにより、吐出ヘッド１３が下方移動し、内容物が吐出孔１３Ａから吐出される。なお、吐出ヘッド１３は、円筒状のステム１２と、ステム１２の上端部に装着され、上記吐出孔１３Ａが形成されたヘッド本体３０と、を備えている。
【００２０】
装着キャップ１１およびステム１２は、それぞれの中心軸線が共通軸上に位置する状態で配設されている。以下、この共通軸を中心軸Ｏと称し、図２において中心軸Ｏに沿ってポンプ１４からステム１２に向かう方向を上方、その逆方向を下方とする。また、中心軸Ｏから見た平面視で中心軸Ｏに直交する方向を径方向、中心軸Ｏ回りで周回する方向を周方向とする。さらに、径方向のうち吐出ヘッド１３の吐出孔１３Ａが向いた方向を前方、その逆方向を後方とし、上下方向および前後方向に直交する方向を左右方向とする。
【００２１】
装着キャップ１１は、ポンプ１４を容器本体２の口部３に装着するためのキャップである。装着キャップ１１は、中央に開口部が形成された平面視円形状の天壁部２１と、天壁部２１の外周縁から下方に向けて延設された円筒状の周壁部２２と、を有する。これら天壁部２１および周壁部２２は、中心軸Ｏと同軸に配設されている。
周壁部２２の内周面には、容器本体２の口部３の外周面に形成された雄ネジに螺着する雌ネジが形成されている。なお、装着キャップ１１は、容器本体２の口部３に対して螺着される場合に限定されるものではなく、例えばアンダーカット嵌合により装着されていても構わない。
【００２２】
ポンプ１４は、吐出ヘッド１３と、吐出ヘッド１３のステム１２に連係された二重円筒状のピストン４１と、ピストン４１が上下摺動自在に収容された円筒状のシリンダ４２と、ステム１２から下方に向けて延設され、ピストン４１の内側を上下方向に貫く有底円筒状のピストンガイド４３と、シリンダ４２内に配設された球状の弁体４４と、ステム１２を外側から囲む円筒状のガイド筒４５と、を有する。
【００２３】
ステム１２は、ガイド筒４５の内側に上下移動自在に挿通されている。この際、ステム１２の上端部は、ガイド筒４５よりも上方に向けて突出している。ステム１２の下部の内径および外径は、ステム１２の上部の内径および外径よりも大きい。また、ステム１２の上部と下部との間には、拡径部１２Ａが設けられている。
【００２４】
ステム１２の下端部には、拡径部１２Ａの下方に連なる比較的薄肉の円筒状の弾性部２５が形成されている。弾性部２５には、上下方向に延在すると共に下方に開口するスリット状の切欠部２５Ａが周方向に間隔をあけて複数形成されている。
【００２５】
ヘッド本体３０は、ステム１２の上端部に装着された有頂円筒状の装着筒部３１と、装着筒部３１から前方に向けて突出した筒状のノズル筒部３２と、装着筒部３１から後方に向けて突出した第１被係止部１２０と、装着筒部３１から左右方向両側に向けて突出した一対の第２被係止部１００Ａと、を有する。装着筒部３１は、ステム１２内に嵌合されている。
【００２６】
ノズル筒部３２内には、前後方向に延在する芯棒体３５と、芯棒体３５の前端部に被着された有頂円筒状のチップ３６と、が配設されている。
芯棒体３５の外周面には、ノズル筒部３２の内周面との間で内容物の流動を可能とする複数の流路溝部３５Ａが前後方向に亘って形成されている。
【００２７】
チップ３６は、芯棒体３５と同軸上に配設されており、内側に芯棒体３５が嵌合された円筒状のチップ筒部３７と、チップ筒部３７の前端部に設けられた端壁部３８と、を有する。
チップ筒部３７は、ノズル筒部３２内に嵌合されている。端壁部３８は、芯棒体３５の前端面に当接している。端壁部３８のうち芯棒体３５の前端面に当接する後面には、芯棒体３５の流路溝部３５Ａに連通するスピン流路３８Ａが形成されている。端壁部３８の中央部分には、スピン流路３８Ａに連通する吐出孔１３Ａが形成されている。
チップ３６により、内容物を霧状に吐出することができる。また、チップ３６およびノズル先端形状等を変更することで、泡状および直線状等の吐出が可能となる。例えば、本実施形態のノズル先端にメッシュ等の発泡部材を設けることで、泡状吐出が可能となる。
【００２８】
第１被係止部１２０は、装着筒部３１の上端部から、後方に向けて突出する。すなわち、第１被係止部１２０は、ノズル筒部３２が突出する方向と反対の方向に突出している。第１被係止部１２０は、左右方向に一対の肉抜き溝１２１を有するブロック状に形成されている。第１被係止部１２０は、上下方向において、ガイド筒４５の上端開口縁４５ｅの一部と隙間をあけて対向している。
【００２９】
第１被係止部１２０には、後述するストッパー１３０の規制位置から規制解除位置への移動を抑止するための係合突起１２２が形成されている。係合突起１２２は、第１被係止部１２０の後端部から下方に突出する。係合突起１２２の後部には、後方に向かうに従って上方に傾斜する傾斜面１２２ａが形成されている。
【００３０】
一対の第２被係止部１００Ａは、装着筒部３１の上端部の左右の側面から後述する一対の側板部９２に向けてそれぞれ突出する。第２被係止部１００Ａは、図３に示すように略円柱状に形成されている。第２被係止部１００Ａは、下方を向く平坦面１００Ａ１と、後方斜め下側を向く傾斜面１００Ａ２と、を有する。平坦面１００Ａ１は、例えば、上下方向と直交する平坦な面である。傾斜面１００Ａ２は、平坦面１００Ａ１の後端に接続され、平坦面１００Ａ１の後端から後方斜め上側に延びている。
【００３１】
ピストン４１は、図２に示すように、円筒状の摺動部５１と、摺動部５１よりも径方向内側に配設された円筒状の閉塞部５２と、摺動部５１の上下方向中間部および閉塞部５２の上下方向中間部を連結する平面視円環状の環状連結部５３と、を有する。これら摺動部５１、閉塞部５２および環状連結部５３は、中心軸Ｏと同軸に配設されている。
【００３２】
摺動部５１の下端部は、上方から下方に向かうにしたがって漸次径方向外側に向けて反るように湾曲している。これにより、摺動部５１の下端は、シリンダ４２の内周面に摺接している。
閉塞部５２の下端部は、上方から下方に向かうにしたがって漸次径方向内側に向けて反るように湾曲している。これにより、ピストンガイド４３の後述するフランジ部４３Ａ近傍に形成された当接部４３Ｅに当接している。閉塞部５２の上端部は、下方から上方に向かうにしたがって漸次径方向外側に向けて反るように湾曲しており、ステム１２の下端部の内周面に摺接している。
【００３３】
閉塞部５２の外周面は、環状連結部５３の上端に接続された環状のテーパ部５２ａを有する。テーパ部５２ａは、環状連結部５３の上端から上方に向かうに従って外径が縮径する。テーパ部５２ａには、弾性部２５の下端開口縁が接触している。
【００３４】
シリンダ４２は、フランジ状の支持板部６１と、支持板部６１から上方に向けて延設された円筒状の立上筒部６２と、支持板部６１の開口縁部から下方に向けて延設された円筒状の上筒部６３と、上筒部６３の下端から下方に向けて延設された円筒状の下筒部６４と、下筒部６４を有する。これら支持板部６１、立上筒部６２および下筒部６４は、中心軸Ｏと同軸に配設されている。
【００３５】
支持板部６１は、シリンダ４２の周壁部から径方向の外側に向けて突出し、口部３の上端開口縁上に配置されている。装着キャップ１１には、径方向の内側に向けて突出し、支持板部６１を口部３の上端開口縁との間で挟み込むフランジ状の押え板部１１Ａが形成されている。支持板部６１と口部３の上端開口縁との間には、環状の第１パッキン６６が介在している。
【００３６】
立上筒部６２は、天壁部２１の開口部を通って上方に向けて立設されている。立上筒部６２には、径方向の外側に突設され、ガイド筒４５に形成された係合溝４５ｄに係合する係合突起６２Ａが設けられている。係合溝４５ｄおよび係合突起６２Ａは、周方向に沿って環状に設けられている。図２の例では、係合溝４５ｄおよび係合突起６２Ａは、上下方向に沿って２つずつ設けられている。
上筒部６３の上部には、上筒部６３の内外を連通させる空気孔６３Ａが形成されている。この空気孔６３Ａは、環状連結部５３の外周面によってシリンダ４２の内側から閉塞可能とされている。
【００３７】
下筒部６４は、上筒部６３の下端開口縁から下方に向けて延びる直筒部６７と、直筒部６７の下端から下方に向けて延在し、内径および外径が上方から下方に向かうにしたがって縮径するテーパ筒部６８と、を有する。
直筒部６７の内径は、上筒部６３の下端の内径よりも小さく、直筒部６７の内周面と上筒部６３の内周面との間には上方から下方に向けてシリンダ４２の内径が小さくなる段差部６９が設けられている。
【００３８】
テーパ筒部６８の内側には、弁体４４がテーパ筒部６８のテーパ面に離着自在に配設されている。
なお、弁体４４は、球状に形成された合成樹脂製のいわゆるボール弁とされている。弁体４４は、廃棄時における分別の手間を抑制する観点で合成樹脂製とすることが好ましい。また、弁体４４は、金属製等であってもよい。さらに、ボール弁に替わる種々の弁体を用いた逆止弁でもよい。
【００３９】
テーパ筒部６８の内周面には、径方向外側から内側に向かうにしたがって上方に向けて傾斜する規制突部６８Ａが突設されている。規制突部６８Ａの上端の内径は、弁体４４よりも小さくなっている。これにより、規制突部６８Ａは、弁体４４の上方への抜けを規制している。なお、規制突部６８Ａには、周方向の延在を中断する間隙が形成されている。
【００４０】
図２に示すように、ピストンガイド４３のうち、ピストン４１の閉塞部５２よりも下方に位置するフランジ部４３Ａは、このフランジ部４３Ａよりも上方に位置する周筒部に対して径方向外側に向けて突出する円板状に形成されている。
ピストンガイド４３における上記周筒部の下端部には、外径がフランジ部４３Ａの上面から上方に向かうにしたがって漸次縮径する当接部４３Ｅが形成されている。
【００４１】
ピストンガイド４３の上記周筒部には、ピストンガイド４３内とシリンダ４２内とを連通させる連通孔４３Ｂが形成されている。連通孔４３Ｂは、例えば中心軸Ｏを径方向で挟む両側に形成されている。連通孔４３Ｂは、当接部４３Ｅおよび閉塞部５２の下端よりも上方に位置しており、シリンダ４２の上筒部６３の内側との連通が遮断されている。
【００４２】
ピストンガイド４３の上記周筒部には、ピストンガイド４３内とシリンダ４２内とを連通させる貫通孔４３Ｃが形成されている。貫通孔４３Ｃは、連通孔４３Ｂと同様に、例えば中心軸Ｏを径方向で挟む両側に形成されている。貫通孔４３Ｃは、ステム１２の拡径部１２Ａにおける内周面に向けて開口している。貫通孔４３Ｃは、連通孔４３Ｂよりも上方に位置している。
ピストンガイド４３のうち貫通孔４３Ｃよりも上側に位置する部分は、ステム１２内に嵌合している。これにより、ピストンガイド４３は、ステム１２と共に一体に上下移動する。ピストンガイド４３は、フランジ部４３Ａから下方に突出する円柱状のバネガイド部４３Ｆを有する。
【００４３】
シリンダ４２の内部には、付勢部材であるコイルバネ９５が配置されている。コイルバネ９５は、バネガイド部４３Ｆの外周面に装着されている。コイルバネ９５の上端は、ピストンガイド４３のフランジ部４３Ａの下端と接触している。コイルバネ９５の下端は、段差部６９（直筒部６７の上端）と接触している。コイルバネ９５は、フランジ部４３Ａを介して、ピストンガイド４３に上向きの弾性力（ばね力）を加えている。これにより、吐出ヘッド１３は、上方付勢されている。なお、コイルバネ９５は、上下方向に弾性変形した状態でシリンダ４２内に配置されており、通常時であっても、弾性力を利用して吐出ヘッド１３を上方付勢している。
【００４４】
ガイド筒４５は、中心軸Ｏと同軸に配置されている。ガイド筒４５は、上部を構成するガイド筒部４５ａと、下部を構成する嵌合筒部４５ｂ、中間筒部４５ｆおよび内側筒部４５ｇと、を有する。
ガイド筒部４５ａ内には、ステム１２が下方移動自在に挿通されている。ガイド筒部４５ａは、円筒状に形成され、嵌合筒部４５ｂは、ガイド筒部４５ａよりも径方向外側に配設された円筒状に形成されている。中間筒部４５ｆは、円筒状に形成され、嵌合筒部４５ｂの径方向内側に配置されている。内側筒部４５ｇは、円筒状に形成され、中間筒部４５ｆの径方向内側に配置されている。ガイド筒部４５ａ、嵌合筒部４５ｂ、中間筒部４５ｆおよび内側筒部４５ｇは、中心軸Ｏと同軸に配設されている。
【００４５】
嵌合筒部４５ｂは、立上筒部６２に外嵌されている。嵌合筒部４５ｂの下端は、装着キャップ１１の板部１１Ａと隙間を介して上下方向に対向している。嵌合筒部４５ｂの下端は、支持板部６１との間で板部１１Ａを挟んで配置されている。
【００４６】
中間筒部４５ｆは、立上筒部６２の内側に嵌められている。中間筒部４５ｆの下端は、環状の第２パッキン７６を介して支持板部６１の径方向内側の端部に押し当てられている。内側筒部４５ｇは、ステム１２の下部に外嵌されている。内側筒部４５ｇの下端は、摺動部５１の上端との間で、第２パッキン７６を挟み込んでいる。
【００４７】
第２パッキン７６は、ステム１２の下部における弾性部２５の近傍に外嵌されている。第２パッキン７６の径方向外側の端部は、中間筒部４５ｆの下端と支持板部６１の上面とに挟持されている。第２パッキン７６の径方向内側の端部は、図２に示す状態において内側筒部４５ｇの下端と摺動部５１の上端とに挟持されている。第２パッキン７６は、ステム１２とガイド筒４５との間に形成された外気導入路Ｒとシリンダ４２内の上部空間との連通を遮断可能である。
【００４８】
押下部材１６を支持する支持部１５は、ガイド筒４５における嵌合筒部４５ｂから後方に向けて突設されており、左右方向に間隔をあけて配設された一対の側壁部７７と、側壁部７７の後端縁同士を左右方向に接続する後壁部７８と、を有する。
【００４９】
側壁部７７は、前側から後側に向かうに従い漸次、上側に向けて延びている。側壁部７７の上端には、上方に向けて左右方向から見た正面視で半円状に突出した突出片８０がそれぞれ形成されている。これら突出片８０の外側面には、円柱状の軸体７７Ａが左右方向に沿って外向きに突設されている。軸体７７Ａは、ステム１２より後方に配置されている。
【００５０】
なお、軸体７７Ａの中心を通り、かつ左右方向に延びる仮想の軸線が押下部材１６の回転軸Ｌとなる。これにより、回転軸Ｌは、ステム１２より後方に配置されるとともに、上下方向および前後方向の双方と直交する左右方向に延びている。また、後壁部７８の内面には、突出片８０の内側に位置するように上方に向かって突出し、一対の側壁部７７の内面同士および突出片８０同士を左右方向に連結する補強壁７８ａが形成されている。
【００５１】
このように、支持部１５はガイド筒４５における嵌合筒部４５ｂの後部から上方かつ後方に向けて突設されているので、装着キャップ１１の後部に立設された状態で配置されている。なお、図示の例では、支持部１５をガイド筒４５における嵌合筒部４５ｂの後部から立設させたが、この場合に限定されるものではなく、例えば装着キャップ１１の後部から上方かつ後方に向けて突設させても構わない。
【００５２】
押下部材（トリガー）１６は、軸体７７Ａを介して支持部１５に取り付けられている。これにより、押下部材１６は、支持部１５に対し回転軸Ｌ回りに回転可能（揺動可能）に連結されている。
押下部材１６は、吐出ヘッド１３を上方から覆う天板部９０と、天板部９０の前端縁から前方に向けて斜め下方に延在する前板部９１と、天板部９０の左右両側の側端縁から下方に向けて延在し、左右方向に向かい合う一対の側板部９２と、を有する。
そして、天板部９０と一対の側板部９２とで囲まれる内部空間に吐出ヘッド１３が配置されている。よって、一対の側板部９２は、吐出ヘッド１３を左右方向から挟むように配置されている。
【００５３】
天板部９０は、上方に向けて膨らむように滑らかに湾曲した形状とされ、その後端部は支持部１５における後壁部７８の上端開口縁に上方から接触している。これにより、押下部材１６は、回転軸Ｌを中心としたこれ以上の上方への回転が規制された状態で位置決めされている。
【００５４】
天板部９０の前側部分には、該天板部９０を貫通する貫通孔９３が形成されている。この貫通孔９３は、天板部９０における左右方向の中央部分に形成されていると共に、前方に開口するように形成されている。これにより、天板部９０の前側部分は、左右方向に二股に分かれた形状とされている。
【００５５】
前板部９１は、二股に分かれた天板部９０の前端縁から前方に向けて斜め下方に延在している。前板部９１の下側部分は、指先を掛けるための指掛部分とされている。
貫通孔９３内にヘッド本体３０のノズル筒部３２が挿通されている。これにより、ノズル筒部３２は、貫通孔９３を通して押下部材１６から突出している。
【００５６】
一対の側板部９２は、吐出ヘッド１３および支持部１５を左右方向に挟んでいる。一対の側板部９２の後部側の内面には、軸体７７Ａが挿通される軸孔部９２Ａが形成されている。これにより、押下部材１６は、軸体７７Ａ回り、すなわち回転軸Ｌ回りに回転可能に支持されている。
【００５７】
押下部材１６は、図２および図４に示すように、一対の第２被係止部１００Ａに上方から係合する一対の係合部１０２を有する。一対の係合部１０２は、一対の側板部９２の内側面にそれぞれ設けられている。係合部１０２は、側板部９２の内側面から吐出ヘッド１３に近づく方向に突出している。係合部１０２の上端は、天板部９０と接続されている。係合部１０２の下端部には、上方に窪む係合凹部１０２ａが形成されている。係合凹部１０２ａの左右方向から見た正面視形状は、図２に示すように、上方に凸となる略半円弧状である。図４に示すように、係合凹部１０２ａは、第２被係止部１００Ａの上方に位置し、第２被係止部１００Ａと対向している。
【００５８】
これにより、押下部材１６を回転軸Ｌ回りに下方に回転させた際、係合凹部１０２ａが第２被係止部１００Ａに上方から係合し、第２被係止部１００Ａを上方から押下させることが可能とされている。したがって、吐出ヘッド１３を下方移動させることができる。すなわち、押下部材１６は、係合部１０２によって第２被係止部１００Ａを介して吐出ヘッド１３を押し下げる。
なお、押下部材１６の下方への回転を解除した場合には、先に述べたようにコイルバネ９５が吐出ヘッド１３を上方付勢しているので、第２被係止部１００Ａおよび係合部１０２を介して押下部材１６が上方付勢される。これにより、押下部材１６は回転軸Ｌ回りに上方に逆回転して、元の位置に復帰する。
【００５９】
ストッパー１３０は、押下部材１６の回転軸Ｌに平行な軸体１３１（図２参照）回りに回転可能に設けられた部材であり、吐出ヘッド１３の下方移動を規制するものである。ストッパー１３０は、吐出ヘッド１３の下方移動を規制する規制位置（図２に示す位置）と、規制位置に対して軸体１３１回りに後方に回転移動し、吐出ヘッド１３の下方移動を許容する規制解除位置（図５に示す位置）と、に切り替え可能になっている。なお、以下に説明するストッパー１３０の各部の位置関係は、ストッパー１３０が規制位置に位置する場合の位置関係とする。
【００６０】
ストッパー１３０は、図６に示すように、左右方向に間隔を空けて配置される一対のストッパー側壁部１３２と、左右方向に延び、一対のストッパー側壁部１３２同士の間においてストッパー側壁部１３２同士を連結する軸体１３１と、一対のストッパー側壁部１３２の上端同士を連結する連結台部１３３と、連結台部１３３から上方に向けて突出する第１規制部１３５と、連結台部１３３から前方に向けて突出する左右一対の第２規制部１３６と、一対のストッパー側壁部１３２から左右方向の外側に向けてそれぞれ突出する摘み部１３４と、を備えている。
【００６１】
一対のストッパー側壁部１３２は、それぞれ上下方向に延びている。ストッパー側壁部１３２は、左右方向と直交する平面に拡がる板状である。
【００６２】
軸体１３１は、左右方向に延在する丸棒状に形成されている。軸体１３１は、図２に示すように、支持部１５における一対の側壁部７７に形成された第２支持凹部８２に中心軸回りに回転可能に嵌め込まれている。第２支持凹部８２は、ステム１２よりも後方に配置されている。ストッパー１３０は、ステム１２よりも後方において、軸体１３１回りに回転可能に支持部１５に取り付けられている。
【００６３】
連結台部１３３は、図６に示すように、左右方向に延びる角柱状体である。連結台部１３３は、一方のストッパー側壁部１３２から他方のストッパー側壁部１３２まで延びている。
【００６４】
第１規制部１３５は、略直方体状である。第１規制部１３５は、連結台部１３３の上面から上方に延びている。第１規制部１３５は、連結台部１３３の左右方向の中央に位置する。第１規制部１３５の左右方向の寸法は、連結台部１３３の左右方向の寸法よりも小さい。第１規制部１３５の前後方向の寸法は、連結台部１３３の前後方向の寸法と略同じである。第１規制部１３５の上端面における前側部分には、前方に向かうに従って下方に傾斜する傾斜面１３５ａが形成されている。
【００６５】
第１規制部１３５は、ストッパー１３０が図２に示す規制位置に位置するときに、第１被係止部１２０に対して第１被係止部１２０の下方から当接若しくは近接する。第１規制部１３５の上端は、ストッパー１３０が規制位置に位置するとき、係合突起１２２に対して係合突起１２２の前側から係合している。第１規制部１３５および連結台部１３３は、ストッパー１３０が規制位置に位置するとき、上下方向において、第１被係止部１２０の下面とガイド筒４５の上端開口縁４５ｅとの間に挟み込まれる。
【００６６】
一対の第２規制部１３６は、図６に示すように、連結台部１３３の前面における左右方向両端からそれぞれ前方に突出している。第２規制部１３６は、連結台部１３３から前方に延びる基部１３６ａと、基部１３６ａの上面における前後方向の中央から上方に延びる突出部１３６ｂと、を有する。突出部１３６ｂの後面１３６ｃは、上方から下方に向かって後方に傾斜する傾斜面である。突出部１３６ｂの上面１３６ｄは、例えば、上下方向と直交する平坦な面である。
【００６７】
一対の基部１３６ａ同士の左右方向の距離は、突出部１３６ｂが設けられている位置から前方に向かって小さくなっている。一対の基部１３６ａ同士の左右方向の距離は、突出部１３６ｂが設けられている位置において、ステム１２の外径とほぼ同じであり、基部１３６ａの前端において、ステム１２の外径よりも小さい。
【００６８】
一対の第２規制部１３６における互いに対向する左右方向内側の面と、連結台部１３３の前面のうち一対の第２規制部１３６の左右方向の間に位置する部分とによって、嵌合面１３７が形成されている。嵌合面１３７の上下方向に沿って見た形状は、前方に向かって開口するＣ字状である。嵌合面１３７は、ストッパー１３０が図２に示す規制位置に位置するときに、ステム１２の外周面に後方から外嵌されている。上述したように、一対の基部１３６ａ同士の左右方向の距離が基部１３６ａの前端においてステム１２の外径よりも小さいため、嵌合面１３７における左右方向に対向する部分同士の距離は、前端において、ステム１２の外径よりも小さくなっている。
【００６９】
嵌合面１３７がステム１２の外周面に外嵌される際、およびステム１２の外周面に外嵌された嵌合面１３７が外される際には、ステム１２によって一対の基部１３６ａが左右方向外側に弾性変形して押し広げられる。これにより、嵌合面１３７における左右方向に対向する部分同士の距離が、前端において一時的にステム１２の外径とほぼ同じとなり、ストッパー１３０を規制位置と規制解除位置との間で移動させることが可能となる。
【００７０】
一対の第２規制部１３６（突出部１３６ｂ）は、ストッパー１３０が図２に示す規制位置に位置するときに、一対の第２被係止部１００Ａに対して第２被係止部１００Ａの下方から当接若しくは近接する。より詳細には、図３に示すように、ストッパー１３０が規制位置に位置するときに、突出部１３６ｂの上面１３６ｄが、第２被係止部１００Ａの平坦面１００Ａ１に下方から当接若しくは近接する。第２規制部１３６（基部１３６ａおよび突出部１３６ｂ）は、ストッパー１３０が規制位置に位置するとき、上下方向において、第２被係止部１００Ａの平坦面１００Ａ１とガイド筒４５の上端開口縁４５ｅとの間に挟み込まれる。
【００７１】
第１規制部１３５は、ストッパー１３０が図５に示す規制解除位置に位置するときに、第１被係止部１２０から離れて配置される。第２規制部１３６は、ストッパー１３０が規制解除位置に位置するときに、第２被係止部１００Ａから離れて配置される。第１規制部１３５の上端と一対の第２規制部１３６の上端（突出部１３６ｂの上端）とは、例えば、上下方向においてほぼ同じ位置にある。
【００７２】
摘み部１３４は、図６に示すように、ストッパー側壁部１３２から左右方向の外側に向けて延びる第１腕部１３４ａと、第１腕部１３４ａの左右方向外端から上方に向けて延びる第２腕部１３４ｂと、第２腕部１３４ｂの上端に設けられた指掛部１３４ｃと、を備えている。
【００７３】
第１腕部１３４ａおよび第２腕部１３４ｂは、角柱状である。図４に示すように、第１腕部１３４ａの左右方向外端は、押下部材１６（側板部９２）よりも左右方向外側に位置する。これにより、第２腕部１３４ｂおよび指掛部１３４ｃは、押下部材１６（側板部９２）よりも左右方向外側に位置する。図６に示すように、指掛部１３４ｃの左右方向から見た正面視形状は、略円形状である。指掛部１３４ｃの外径は、第２腕部１３４ｂの前後方向の寸法よりも大きい。
【００７４】
図７に示すように、正倒立両用アダプタ２００は、円筒状の本体筒部２１０を備える。本体筒部２１０は、中心軸Ｏと同軸に配設されている。本体筒部２１０は、シリンダ４２に外嵌された円筒状の外側筒部材２１１と、上部が外側筒部材２１１内に配設され、かつ下部が外側筒部材２１１から下方に突出した内側筒部材２１２と、を有する。内側筒部材２１２の下端部内には、容器本体２内の内容物を流通させる円筒状のパイプ２１３の上端部が嵌入されている。これら外側筒部材２１１、内側筒部材２１２、およびパイプ２１３は、中心軸Ｏと同軸に配設されている。
【００７５】
外側筒部材２１１は、上端部内にシリンダ４２の上筒部６３が嵌合された円筒状の外筒部２１４と、外筒部２１４の上下方向の中間部分に配設され、外筒部２１４の内部を上下に仕切る仕切壁部２１５と、仕切壁部２１５から下方に延設され内側筒部材２１２の上端部が連結される円筒状の下筒部２１７と、を有する。
【００７６】
外筒部２１４のうち仕切壁部２１５よりも上側の部分における内径および外径は、仕切壁部２１５よりも下側の部分における内径および外径よりも大きくなっている。外筒部２１４の上側の部分は、下方から上側に向かうに従い拡径しており、図示の例では、仕切壁部２１５から上側に向けて漸次拡径する拡径部２１４ａと、拡径部２１４ａの上端と同じ径とされ拡径部２１４ａの上方に位置する筒部２１４ｂと、を備えている。筒部２１４ｂの内径は、シリンダ４２の上筒部６３の外径と同等である。仕切壁部２１５には、上下方向に貫く通液孔２１９が形成されている。
【００７７】
下筒部２１７の上端部における外周面のうち、一部が、外筒部２１４の内周面に接続され、他の部分と、外筒部２１４の内周面と、の間には径方向の隙間が設けられている。そして、外側筒部材２１１には、下筒部２１７の上端部における外筒部２１４の内周面に接続された一部、および外筒部２１４を一体に径方向に貫く倒立時導入孔２２１が形成されている。倒立時導入孔２２１は、吐出器１の倒立時に容器本体２内の内容液が導入可能である。
【００７８】
内側筒部材２１２は、上端部が下筒部２１７に連結された円筒状の上側筒部２２２と、上側筒部２２２よりも下方に配設され、かつ下部が外側筒部材２１１から下方に突出した円筒状の下側筒部２２３と、上側筒部２２２と下側筒部２２３とを結合する円筒状の結合筒部２２４と、を有する。
【００７９】
上側筒部２２２の上端部は、下筒部２１７に外嵌されている。そして、上側筒部２２２の外周面と外筒部２１４の内周面との間には、内容液を流通させる第１流路ｒ１が形成されている。この第１流路ｒ１は、通液孔２１９に連通している。
上側筒部２２２の下端部は、内径および外径が下方に向かうにしたがって漸次縮径するテーパ状をなしており、上側筒部２２２の内側には、球状の切替弁２２５が配設されている。
【００８０】
結合筒部２２４の外周面と、外筒部２１４の内周面と、の間には、内容液を流通させる第２流路ｒ２が形成されている。この第２流路ｒ２は、第１流路ｒ１に連通している。結合筒部２２４には、その内部と第２流路ｒ２とを連通する連絡孔２２６が形成されている。連絡孔２２６は、結合筒部２２４に周方向に間隔をあけて複数形成されている。
ここで連絡孔２２６、第２流路ｒ２、第１流路ｒ１および通液孔２１９は、内側筒部材２１２の下端の正立時導入孔２２９および倒立時導入孔２２１と、シリンダ４２の下端開口部と、を連通する連通路ｒ３を構成している。正立時導入孔２２９は、倒立時導入孔２２１より下方に配置されている。
【００８１】
下側筒部２２３は、外側筒部材２１１の下端部内に嵌合されている。また、下側筒部２２３の上端部は、内径および外径が上方に向かうにしたがって漸次縮径するテーパ状をなしており、下側筒部２２３の内側には、球状の下弁体２２７が配設されている。
下側筒部２２３の内周面には、径方向内側に向けて突出し、上下方向に延在する複数の第２縦リブ部２２８が周方向に間隔をあけて形成されている。第２縦リブ部２２８の下端部は、径方向内側に向けて突出しており、下弁体２２７が第２縦リブ部２２８の下端部よりも下方に移動することを規制する。
【００８２】
パイプ２１３の上端部は、下側筒部２２３の下端部内に嵌合されており、パイプ２１３の下端開口部は、容器本体２内の底部に向けて開口する下端開口２１３Ａを形成する。下端開口２１３Ａおよび正立時導入孔２２９は、吐出器１の正立時に容器本体２内の内容液が導入可能である。正立時導入孔２２９には、パイプ２１３を通して内容物が導入される。
【００８３】
次に、上述のように構成された吐出器１の使用方法について説明する。
まず、ストッパー１３０を図２に示す上記した規制位置から後方に傾倒させて、図５に示す規制解除位置に移動させる。詳しく説明すると、第１規制部１３５が係合突起１２２を乗り越えて第１被係止部１２０よりも後方に位置し、かつ、一対の第２規制部１３６が第２被係止部１００Ａよりも後方に位置するまで、ストッパー１３０を後方側に向けて軸体１３１回りに回転させる。これにより、ストッパー１３０による吐出ヘッド１３の下方移動の規制が解除され、押下部材１６の下方への揺動が許容される。
【００８４】
その後、図５に示すように、押下部材１６を回転軸Ｌ回りに下方に向けて回転させる。この際、例えば押下部材１６の前板部９１の指掛部分に指先を掛けながら、コイルバネ９５の付勢力に抗して押下部材１６を下方に向けて回転させる。押下部材１６を下方に向けて回転させると、吐出ヘッド１３が下方移動し、弁体４４によってシリンダ４２のテーパ筒部６８内を閉塞した状態で、ステム１２およびピストン４１をシリンダ４２に対して押し込んで、シリンダ４２内が正圧になる。すると、シリンダ４２内の内容液がステム１２内を上昇してノズル筒部３２内に導入され、吐出ヘッド１３の吐出孔１３Ａから吐出される。
【００８５】
詳しくは、シリンダ４２内が正圧になると、弾性部２５の自由端部が閉塞部５２の外周面におけるテーパ部５２ａに沿って径方向外側に向けて反るように摺動しつつ、弾性部２５の上下方向の長さが短くなるように収縮変形する。また、吐出ヘッド１３およびピストンガイド４３は、ピストン４１に対して下方移動し始める。吐出ヘッド１３およびピストンガイド４３がピストン４１に対して下方に移動すると、ピストン４１の閉塞部５２の下端が、ピストンガイド４３の当接部４３Ｅから離間する。これにより、閉塞部５２の下端部とピストンガイド４３の外周面との間には、間隙が形成される。そのため、連通孔４３Ｂは、間隙を通してシリンダ４２の上筒部６３内に対して開放される。なお、連通孔４３Ｂがシリンダ４２の上筒部６３内に対して開放されるまで、上筒部６３の内圧はさらに上昇する。
【００８６】
これにより、上筒部６３内の内容物は、閉塞部５２の内周面とピストンガイド４３の外周面との間の間隙および連通孔４３Ｂを通ってピストンガイド４３内に流入する。さらに、上筒部６３内の内容物は、閉塞部５２の内周面とピストンガイド４３の外周面との間の間隙、ステム１２の下側部分および拡径部１２Ａの内周面とピストンガイド４３の外周面との間の間隙、並びに貫通孔４３Ｃを通ってピストンガイド４３内に流入する。
そして、ピストンガイド４３内に流入した内容物は、ステム１２の上側部分内を流動してノズル筒部３２に至り、ノズル筒部３２の吐出孔１３Ａから吐出される。この結果、容器本体２内に収容された内容物を、吐出孔１３Ａを通じて外部に吐出することができる。
【００８７】
その後、押下部材１６の把持を解除すると、ステム１２およびピストン４１が、コイルバネ９５からの付勢力に基づいてシリンダ４２に対して復元移動する。このとき、シリンダ４２内が負圧になり、この負圧が、弁体４４に作用してテーパ筒部６８内を開放し、図７に示す切替弁２２５および下弁体２２７のそれぞれに連通路ｒ３を通して作用する。すると、吐出器１の正立時には、切替弁２２５が倒立時導入孔２２１と連通路ｒ３との連通を遮断した状態が維持されるとともに、下弁体２２７が第２縦リブ部２２８の下端部から離反する。その結果、容器本体２内の内容液が、正立時導入孔２２９、本体筒部２１０内および連通路ｒ３を通してシリンダ４２の下端開口部に到達してシリンダ４２内に流入する。
【００８８】
一方、吐出器１の倒立時には、容器本体２内の底部に開口するパイプ２１３の下端開口２１３Ａが、容器本体２内の内容液の液面から突出している。しかも、倒立時導入孔２２１が、容器本体２内の内容液内に位置した状態で、切替弁２２５がその自重に基づいて上側筒部２２２の内側から離反しており、倒立時導入孔２２１と連通路ｒ３とが本体筒部２１０内を通して連通している。したがって、シリンダ４２内で負圧が発生することで、容器本体２内の内容液が、倒立時導入孔２２１、本体筒部２１０内および連通路ｒ３を通してシリンダ４２の下端開口部に到達してシリンダ４２内に流入する。
【００８９】
吐出器１の正立時および倒立時いずれの場合であっても、吐出ヘッド１３、ステム１２およびピストン４１をシリンダ４２に対して一体的に押下させると、シリンダ４２内のうちピストン４１より下方に位置する下部空間が加圧され、この下部空間内の内容物がステム１２内を上昇して吐出孔１３Ａから吐出される。この過程において、第２パッキン７６が外気導入路Ｒの下端開口を開放し、外気導入路Ｒとシリンダ４２内の上部空間とが連通し、外気がシリンダ４２内の上部空間内に導入される。
【００９０】
吐出ヘッド１３、ステム１２およびピストン４１の押下げを解除して、これらを上方に復元変位させると、シリンダ４２内の下部空間が負圧になり、容器本体２内の内容物がシリンダ４２内の下部空間内に導入される。この過程において、上部空間内の空気が圧縮される。上部空間内の空気は、空気孔６３Ａを介してシリンダ４２内の上部空間と容器本体２内とが連通することで、容器本体２内に導入される。
【００９１】
その後、ステム１２およびピストン４１が元に戻ると、ピストン４１が空気孔６３Ａを閉塞し、外気導入路Ｒを通した容器本体２内と外部との連通が遮断される。
なお、吐出器１が倒立等しても、外気導入路Ｒとシリンダ４２内の上部空間との連通を遮断する第２パッキン７６が配設されているので、容器本体２内の内容部がシリンダ４２内の上部空間に到達しても、この内容物が外気導入路Ｒを通して外部に漏出することを防ぐことができる。
【００９２】
次に、不使用時に吐出器１から内容物が外部に吐出されないようにするためには、図２に示すように、ストッパー１３０を規制位置に移動させておく。詳しくは、コイルバネ９５によって吐出ヘッド１３が上方へ付勢され、押下部材１６が支持部１５に当接して回転が規制され、ポンプ１４が停止状態になる。この状態で、ストッパー１３０が規制位置に移動すると、第１規制部１３５が第１被係止部１２０の下面に当接若しくは近接するとともに、第２規制部１３６が第２被係止部１００Ａの下面に当接若しくは近接する。
【００９３】
本実施形態では、第１被係止部１２０の係合突起１２２に傾斜面１２２ａが形成されており、また、ストッパー１３０の第１規制部１３５の上面における前端に傾斜面１３５ａが形成されているため、第１規制部１３５が係合突起１２２を乗り越えて規制位置に移動しやすい。また、本実施形態では第２被係止部１００Ａが傾斜面１００Ａ２を有するため、第２規制部１３６が規制位置に移動する際に、突出部１３６ｂが第２被係止部１００Ａに接触しにくく、第２規制部１３６が規制位置に移動しやすい。このように、本実施形態においては、ストッパー１３０を容易に規制位置に移動させることができる。
【００９４】
ストッパー１３０が規制位置にあるとき、第１規制部１３５および連結台部１３３は、上下方向において、第１被係止部１２０の下面とガイド筒４５の上端開口縁４５ｅとの間に挟み込まれる。また、第２規制部１３６（基部１３６ａおよび突出部１３６ｂ）は、上下方向において、第２被係止部１００Ａの平坦面１００Ａ１とガイド筒４５の上端開口縁４５ｅとの間に挟み込まれる。そのため、吐出ヘッド１３に加わる押下げ力が、力の向きを変えることなくガイド筒４５に作用する。ガイド筒４５は、吐出ヘッド１３のステム１２を外側から囲む筒体であり、上下方向における剛性が高いため、吐出ヘッド１３が受ける力を十分に支えることができる。
【００９５】
また、第１被係止部１２０には、ストッパー１３０に係合することにより、ストッパー１３０の規制位置から規制解除位置への移動を抑止するための係合突起１２２が形成されている。この構成によれば、第１被係止部１２０に形成された係合突起１２２が、ストッパー１３０の規制位置から規制解除位置への移動を抑止するため、ストッパー１３０が規制位置から移動し難くなり、吐出ヘッド１３の下方移動を規制できる。これにより、僅かな力でストッパー１３０が規制位置から規制解除位置に移動してしまうことを抑止できるため、内容物が誤って吐出されることがなくなる。
【００９６】
加えて、ストッパー１３０には、嵌合面１３７が形成されており、嵌合面１３７の左右方向に対向する部分同士の距離は、前端においてステム１２の外径よりも小さくなっている。そのため、ストッパー１３０が規制位置に位置し、嵌合面１３７がステム１２の外周面に後方から外嵌している場合に、嵌合面１３７の前端は、ステム１２の外周面に対して前方から係合する。これにより、ストッパー１３０が後方に移動することが抑制され、僅かな力でストッパー１３０が規制位置から規制解除位置に移動してしまうことをより抑止できる。
【００９７】
このように、本実施形態の吐出器１によれば、ストッパー１３０を規制位置に移動させると、ストッパー１３０が吐出ヘッド１３の第１被係止部１２０および第２被係止部１００Ａに当接若しくは近接する。これにより、吐出ヘッド１３単体に力が加わっても、第１被係止部１２０および第２被係止部１００Ａにストッパー１３０が当接し、吐出ヘッド１３が直接支えられるため、内容物が吐出されることがなくなる。一方、図５に示すように、ストッパー１３０を規制解除位置に移動させると、ストッパー１３０が吐出ヘッド１３に突設された第１被係止部１２０および第２被係止部１００Ａから離れる。これにより、吐出ヘッド１３の下方移動が許容され、通常通りの使用が可能となる。
【００９８】
以上のように、本実施形態では、内容物が収容された容器本体２の口部３に、上方付勢状態で下方移動自在に配設されるとともに、前方に向けて開口する吐出孔１３Ａが形成された吐出ヘッド１３を有するポンプ１４と、ポンプ１４を容器本体２の口部３に装着する装着キャップ１１と、装着キャップ１１の後部に立設された支持部１５と、支持部１５に回転軸Ｌ回りに回転自在に配設され、吐出ヘッド１３を押下げる押下部材１６と、を備え、押下部材１６を回転軸Ｌ回りに下方に向けて回転させることにより、吐出ヘッド１３を下方移動させ、内容物を吐出孔１３Ａから吐出させる吐出器１であって、吐出ヘッド１３の下方移動を規制する規制位置と、吐出ヘッド１３の下方移動を許容する規制解除位置と、の間で移動可能なストッパー１３０を備え、吐出ヘッド１３は、上方付勢状態で下方移動自在に配設されたステム１２と、ステム１２の上端部に装着された装着筒部３１と、装着筒部３１から前方に向けて突出し、その前端部に吐出孔１３Ａが形成されたノズル筒部３２と、装着筒部３１から後方に向けて突出した第１被係止部１２０と、装着筒部３１から前後方向および上下方向の両方と直交する左右方向両側に向けて突出した一対の第２被係止部１００Ａと、を有し、押下部材１６は、一対の第２被係止部１００Ａに上方から係合する一対の係合部１０２を有し、かつ、係合部１０２によって第２被係止部１００Ａを介して吐出ヘッド１３を押下げ、ストッパー１３０は、第１規制部１３５と、第２規制部１３６と、を有し、第１規制部１３５は、ストッパー１３０が規制位置に位置するときに、第１被係止部１２０に対して第１被係止部１２０の下方から当接若しくは近接し、かつ、ストッパー１３０が規制解除位置に位置するときに、第１被係止部１２０から離れて配置され、第２規制部１３６は、ストッパー１３０が規制位置に位置するときに、一対の第２被係止部１００Ａに対して第２被係止部１００Ａの下方から当接若しくは近接し、かつ、ストッパー１３０が規制解除位置に位置するときに、第２被係止部１００Ａから離れて配置されるという構成を採用することによって、不使用時において内容物の吐出をより確実に防止することができる。
【００９９】
また、本実施形態によれば、第１規制部１３５と一対の第２規制部１３６とによって、３箇所で吐出ヘッド１３を下方から支持できるため、ストッパー１３０によって吐出ヘッド１３の移動をより安定して規制することができる。これにより、不使用時において内容物の吐出をより確実に防止することができる。
【０１００】
また、ステム１２の上端部に装着された装着筒部３１から後方に向けて突出した第１被係止部１２０が第１規制部１３５によって支持され、装着筒部３１から左右方向両側に向けて突出した第２被係止部１００Ａが第２規制部１３６によって支持される。そのため、ステム１２を３方向から囲むようにして、ストッパー１３０によって吐出ヘッド１３を支持することができる。これにより、ストッパー１３０によって、吐出ヘッド１３を安定して支持することができ、吐出ヘッド１３の下方への移動をより安定して規制することができる。
【０１０１】
また、本実施形態によれば、第１規制部１３５の上端の位置と一対の第２規制部１３６の上端の位置とが、上下方向においてほぼ同じ位置にある。そのため、第１規制部１３５の上端と一対の第２規制部１３６の上端とが、上下方向と直交する同一面上に配置され、３つの上端によってより安定して吐出ヘッド１３を支持できる。そのため、吐出ヘッド１３の下方への移動をより安定して規制することができる。
【０１０２】
また、例えば、ノズル筒部に対して下方向きに外力が加えられる場合、吐出ヘッドには、図２の向きに視て反時計回りの回転モーメントが第２被係止部の中心軸回りに加えられる。これにより、ヘッド本体にも回転する向きに力が加えられ、ヘッド本体がステムに対して傾く場合がある。そのため、ヘッド本体の装着筒部とステムとの間に隙間が生じ、装着筒部とステムとの間のシール性が低下する場合がある。その結果、容器本体２内の内容物が装着筒部とステムとの間から外部に漏れだす場合があった。
【０１０３】
また、例えば、ストッパーが、ステムよりも後方に設けられた第１被係止部の移動を規制する第１規制部のみを有する場合について考える。この場合、場合、ノズル筒部に下方向きに外力が加えられると、吐出ヘッドに加えられる回転モーメントによって、ステムよりも後方に位置する第１被係止部には上方向きの力が加えられる。そのため、ストッパーの第１規制部から第１被係止部が浮き上がり、ストッパーが係合突起を乗り越えて規制解除位置側にずれる虞があった。
【０１０４】
これらの問題に対して、本実施形態によれば、ストッパー１３０は、第１規制部１３５に加えて、第２被係止部１００Ａの移動を規制する第２規制部１３６を有している。第２被係止部１００Ａは、装着筒部３１から左右方向両側に突出しているため、第１規制部１３５よりも前方に位置し、かつ、装着筒部３１が装着されたステム１２の上端部と前後方向においてほぼ同じ位置にある。これにより、ノズル筒部３２に外力が加えられた場合、ノズル筒部３２に加えられた外力をステム１２の上端部とほぼ同じ前後方向位置において第２規制部１３６で受けることができる。これにより、ノズル筒部３２に外力が加えられた場合に、ヘッド本体３０に伝わる回転モーメントを低減でき、ステム１２に対してヘッド本体３０が傾くことを抑制できる。したがって、ステム１２と装着筒部３１との間のシール性が低下することを抑制でき、内容物が外部に漏れだすことを抑制できる。
【０１０５】
また、第２被係止部１００Ａはステム１２と前後方向においてほぼ同じ位置に位置するため、ノズル筒部３２に対して下方向きに外力が加えられた場合、第２被係止部１００Ａには第２規制部１３６に押し付けられる向きに力が加えられる。これにより、第２規制部１３６は、ガイド筒４５の上端開口縁４５ｅに上方から押し付けられる。したがって、ノズル筒部３２に外力が加えられ、仮に第１被係止部１２０が第１規制部１３５に対して浮き上がった場合であっても、第２被係止部１００Ａによって第２規制部１３６がガイド筒４５に押し付けられる。その結果、ストッパー１３０が規制解除位置側にずれることを抑制できる。また、吐出ヘッド１３が下方に移動することを抑制できる。
【０１０６】
また、第２被係止部１００Ａはステム１２と前後方向においてほぼ同じ位置に位置するため、第２被係止部１００Ａを第２規制部１３６で支持することで、ステム１２の前後方向の中央を左右方向両側から挟むようにして、吐出ヘッド１３を支持することができる。これにより、吐出ヘッド１３の下方への移動をより安定して規制することができる。
【０１０７】
また、第２被係止部１００Ａは、押下部材１６の係合部１０２が係合される部分であり、押下部材１６から直接的に力を受ける部分である。そのため、第２被係止部１００Ａを第２規制部１３６で支持することにより、押下部材１６から吐出ヘッド１３に加えられる力を直接的にストッパー１３０で受けることができる。そのため、ストッパー１３０によって吐出ヘッド１３をより安定して支持しやすく、吐出ヘッド１３の下方への移動をより安定して規制することができる。
【０１０８】
吐出ヘッド１３に外力が加えられる場合、吐出ヘッド１３のうちでも、特にノズル筒部３２に外力が加えられやすい。そのため、上述した本実施形態による作用効果を効果的に奏功させることができる。
【０１０９】
また、本実施形態によれば、第２被係止部１００Ａは、ストッパー１３０が規制位置に位置するときに、第２規制部１３６の上端（突出部１３６ｂの上端）と対向する平坦面１００Ａ１を有する。そのため、第２規制部１３６によって第２被係止部１００Ａの移動を安定して規制することができる。これにより、内容物が外部に漏れだすことをより抑制できる。
【０１１０】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【０１１１】
例えば、上記実施形態では、ストッパー１３０が規制位置に位置するとき、第１被係止部１２０および第２被係止部１００Ａに当接すると説明したが、ストッパー１３０は第１被係止部１２０および第２被係止部１００Ａに当接せずとも近接していればよく、この場合であっても吐出ヘッド１３の下方移動を規制することができる。
【０１１２】
また、例えば、上記実施形態では、ストッパー１３０が軸体１３１回りに回転可能に設けられる構成について説明したが、ストッパー１３０が回転ではなく、例えば上下、左右、前後のいずれかの方向に移動することで、規制位置と規制解除位置との間で移動可能な構成を採用してもよい。
【０１１３】
また、吐出器１は、正倒立両用アダプタ２００を備えていなくてもよい。この場合、パイプ２１３はシリンダ４２の下端に取り付けられる。
【符号の説明】
【０１１４】
１  吐出器
２  容器本体
３  口部
１１  装着キャップ
１２  ステム
１３  吐出ヘッド
１３Ａ  吐出孔
１４  ポンプ
１５  支持部
１６  押下部材
３１  装着筒部
３２  ノズル筒部
１００Ａ  第２被係止部
１００Ａ１  平坦面
１０２  係合部
１２０  第１被係止部
１３０  ストッパー
１３５  第１規制部
１３６  第２規制部
Ｌ  回転軸
【図１】
0006670671.tif 000002
【図２】
0006670671.tif 000003
【図３】
0006670671.tif 000004
【図４】
0006670671.tif 000005
【図５】
0006670671.tif 000006
【図６】
0006670671.tif 000007
【図７】
0006670671.tif 000008